【事件の表示】
　平成１０年特許願第１４７５１７号「パチンコ機」拒絶査定不服審判事件〔平成１１年１２月　７日出願公開、特開平１１−３３３０８４〕について、次のとおり審決する。
【結　論】
　本件審判の請求は、成り立たない。
【理　由】
１．手続の経緯 ・本願発明
　本願は、平成１０年５月２８日の出願であって、平成１４年６月２６日付けで拒絶査定がされ、これに対し、同年８月２１日に拒絶査定不服審判請求がなされたものであり、その請求項１〜２に係る発明は、平成１４年６月３日付けの手続補正書によって補正された明細書及び図面の記載からみて、特許請求の範囲の請求項１〜２に記載されたとおりのものと認められるところ、その請求項１に記載された発明（以下「本願発明」という。）は、次のとおりである。
　
「遊技領域に設けられた変動図柄を表示する図柄表示装置を備え、前記変動図柄が変動後所定の態様で停止すると大当りとして遊技者に有利な遊技状態が発生するパチンコ機において、
　前記変動図柄のリーチ状態の発生を予告する複数種類のリーチ予告映像データが格納されるリーチ予告映像記憶手段と、
　前記変動図柄がリーチ状態の場合に表示されるリーチアクションの表示画像として複数種類のリーチ映像データが格納されるリーチ映像記憶手段と、
　リーチ状態を発生させるか否かを決定するリーチ発生決定手段と、
　前記変動図柄が所定の態様で停止する大当たりの場合に、第１選択確率に基づき前記リーチ映像記憶手段に記憶された第１リーチ映像データ、及び、前記リーチ予告映像データ記憶手段に記憶された第１リーチ予告映像データからなる第１組み合わせを選択する第１選択手段と、
　前記変動図柄が所定の態様で停止する大当たりの場合に、前記第１選択確率とは異なる第２選択確率に基づき前記リーチ映像記憶手段に記憶された第１リーチ映像データ、及び、前記リーチ予告映像データ記憶手段に記憶された第２リーチ予告映像データからなる第２組み合わせを選択する第２選択手段と、
　前記変動図柄が所定の態様で停止しない場合で、且つ、前記リーチ発生決定手段によってリーチ状態を発生させることが決定された場合に、第３選択確率に基づき前記第１組み合わせを選択する第３選択手段と、
　前記変動図柄が所定の態様で停止しない場合で、且つ、前記リーチ発生決定手段によってリーチ状態を発生させることが決定された場合に、前記第３選択確率とは異なる第４選択確率に基づき前記第２組み合わせを選択する第４選択手段とを備え、
　前記大当たりの場合に、第１組み合わせを選択する第１選択確率と第２組み合わせを選択する第２選択確率との間に存在する大小関係は、前記変動図柄が所定の態様で停止しない場合で、且つ、前記リーチ発生決定手段によってリーチ状態を発生させることが決定された場合に、第１組み合わせを選択する第３選択確率と第２組み合わせを選択する第４選択確率との間に存在する大小関係と逆転されていることを特徴とするパチンコ機。」
　
２．引用刊行物記載の発明
（１）原査定の拒絶の理由に引用された特開平１０−５４０６号公報（平成１０年１月１３日出願公開、以下、「第１引用例」という。）の記載事項
「【００１４】
　……図１を参照して実施形態に係る弾球遊技機（図示ではパチンコ遊技機）の遊技盤１の構成について説明する。……遊技領域３のほぼ中央には、左・中・右の特別図柄表示部３３ａ〜３３ｃで特別図柄の可変表示（以下、変動ともいう）を可能にする特別可変表示装置３０が配置されている。……」
　
「【００１７】……打玉が普通可変入賞球装置５に入賞して始動玉検出器６をＯＮさせると、特別可変表示装置３０が変動を開始し、一定時間が経過すると、例えば左・右・中の順で特別図柄が確定され、その確定された図柄の組み合せが所定の大当り組合せ（同一図柄のゾロ目）となったときに特定遊技状態となる。……」
　
「【００２１】……特別可変表示装置３０での図柄変動には、図２（Ａ）に示すような９種類のランダム数が使用されており、これらのランダム数は、……リーチ動作用のＣ＿ＲＮＤ＿ＲＣＨ（０〜９９）と、……リーチ予告動作用のＣ＿ＲＮＤ＿Ｋ（０〜９）と、……から構成されている。……」
　
「【００２４】先ず、リーチ以外となる図柄変動を図５を参照して説明する。……
【００２５】次に、リーチとなる図柄変動を図６及び図７を参照して説明する。……」
　
「【００２７】……各種リーチ１〜６の選択は、図８に示す※２の一覧表図に基づいて決定される。図８に示す※２の一覧表図は、ハズレ時及び大当り時毎にリーチ種類を決定するための各条件１〜５（図９（Ｃ）参照）とＣ＿ＲＮＤ＿ＲＣＨの抽出値との振り分け表図である。また、本実施形態では、図９（Ａ）の一覧表図に示すように、Ｃ＿ＲＮＤ＿Ｋの抽出値に応じてリーチ予告を行うようになっている。図９（Ａ）の一覧表図は、リーチ予告の種類毎にＣ＿ＲＮＤ＿Ｋの抽出値を振り分けたものであり、これを確変図柄及び通常図柄毎に設定している。リーチ予告の種類は、リーチ予告１〜３の３種類であり、各リーチ予告１〜３毎の設定数（５匹、３匹、１匹）で「おばけ」を画面表示することにより遊技者にリーチを予告的に報知する。「おばけ」を表示するリーチ予告の表示画面については後で詳述する。また、このようなリーチ予告は、その種類に応じて確変図柄の出現率を異なって設定している。……」
　
「【００３２】……また、リーチ予告を行うときには、図１２（Ｃ）〜（Ｆ）に示すように、キャラクタ表示部３３ｄに表示した城５０の上におばけ５１のキャラクタを重畳表示することでその旨を報知する。なお、図１２（Ｃ)(Ｄ）の表示画像は、それぞれ城５０の上に１匹のおばけ５１を重畳表示したリーチ予告３の画像であり、予告後に「６」の通常図柄でリーチした場合を例示している。図１２（Ｅ)(Ｆ）の表示画像は、それぞれ城５０の上に５匹のおばけ５１を重畳表示したリーチ予告１の画像であり、予告後に「７」の確変図柄でリーチした場合を例示している。
【００３３】また、キャラクタリーチ（リーチ２）を行うときには、図１３（Ａ）〜（Ｃ）に示すように、表示画面の右端にハンマー５３を持ったキャラクタ５２を重畳表示する。そして、表示上のキャラクタ５２がハンマー５３で中図柄を叩くことにより中図柄を左方向へ順次コマ送りしていき中図柄のリーチ変動を行う。レーダーリーチ（リーチ３）を行うときには、先ず、表示画面全体を１つの表示領域とした特別図柄表示部３３ａ〜３３ｃに画面を切り換える。そして、図１３（Ｄ)(Ｅ）に示すように、現在表示の中図柄（同図中では、「６」の図柄）の中心部を回転中心として境界線（レーダーの走査線）５４を時計回りの方向に回転させ、その境界線５４の回転領域に次位の中図柄（同図中では、「７」の図柄）を表示する。これにより、境界線５４の回転角度（０°〜３６０°）に応じて現在表示の中図柄の表示割合を徐々に減少していく一方、次位の中図柄の表示割合を徐々に増大していき中図柄のリーチ変動を行う。なお、レーダーリーチにおける前記変動パターンＪは、図１３（Ｆ）に示すように、中図柄の下側部分の所定範囲内で境界線５４の回転方向を時計回りの方向と反時計回りの方向とに交互に切り換えることで行われる。即ち、レーダーリーチでの最終の変動パターンとなり得る変動パターンＪは（変動パターンＪを行わない場合もある）、大当り該当図柄とその前の図柄（ハズレを決定する図柄）との間で表示割合の増減を交互に繰り返すことで、当り外れの決定を表示上で焦らして遊技者に緊張感を持たせるようになっている。
【００３４】また、図柄回転リーチ（リーチ４）を行うときには、先ず、表示画面全体を１つの表示領域とした特別図柄表示部３３ａ〜３３ｃに画面を切り換える。そして、図１４（Ａ)(Ｂ）に示すように、現在表示の中図柄（同図中では、「６」の図柄）の中心部を回転中心として中図柄を所定範囲内で往復回転させ、その往復回転中に次位の中図柄（同図中では、「７」の図柄）に切り換えて中図柄のリーチ変動を行う。なお、図柄回転リーチによる図柄の確定は、図１４（Ｃ）に示すように、往復回転した後に中図柄を１周回転させることで行われる。……」
　
　上記記載事項及び図面によると、第１引用例には、
「遊技領域３に特別図柄の可変表示を可能にする特別可変表示装置３０が配置され、特別可変表示装置３０が変動を開始し、一定時間が経過すると、特別図柄が確定され、その確定された図柄の組み合せが所定の大当り組合せとなったときに特定遊技状態となるパチンコ遊技機において、
　各リーチ予告１〜３毎に５匹、３匹、１匹のおばけを画面表示することによりリーチを予告的に報知する３種類のリーチ予告を行い、
　表示画面の右端にハンマー５３を持ったキャラクタ５２を重畳表示してキャラクタ５２がハンマー５３で中図柄を叩くことにより中図柄を左方向へ順次コマ送りしていき中図柄のリーチ変動を行うキャラクタリーチと、現在表示の中図柄の中心部を回転中心として境界線５４を時計回りの方向に回転させ、その境界線５４の回転領域に次位の中図柄を表示するリーチ変動を行うレーダーリーチと、現在表示の中図柄の中心部を回転中心として中図柄を所定範囲内で往復回転させ、その往復回転中に次位の中図柄に切り換えて中図柄のリーチ変動を行う図柄回転リーチ等からなる各種リーチを行い、
　リーチ以外となる図柄変動とリーチとなる図柄変動とを行い、
　各リーチ予告は、リーチ予告の種類毎にランダム数Ｃ＿ＲＮＤ＿Ｋの抽出値を振り分け、これを確変図柄及び通常図柄毎に、その種類に応じて確変図柄の出現率を異なって設定され、
　各種リーチは、リーチ種類を決定するための各条件１〜５とランダム数Ｃ＿ＲＮＤ＿ＲＣＨの抽出値を振り分け、ハズレ時及び大当り時毎に設定されてなるパチンコ遊技機。」
の発明（以下、「引用発明」という。）が記載されていると認められる。
　
（２）原査定の拒絶の理由に引用された特開平１０−１２７８７７号公報（平成１０年５月１９日出願公開、以下、「第２引用例」という。）の記載事項
「【００４１】……大当りの場合、図９（ａ）に示すように、リーチパターン決定用乱数が０〜９であればリーチＡ、リーチパターン決定用乱数が１０〜４９であればリーチＢ、リーチパターン決定用乱数が５０〜９９であればリーチＣに振り分けるようになっている。なお、リーチＡは通常のリーチ、リーチＢはおやじリーチ、リーチＣは背景変化リーチである。さらにリーチＣの場合、リーチパターン決定用乱数が５０〜５４であれば春リーチ、リーチパターン決定用乱数が５５〜６４であれば夏リーチ、リーチパターン決定用乱数が６５〜７９であれば秋リーチ、リーチパターン決定用乱数が８０〜９９であれば冬リーチに振り分けるようになっている。春リーチ〜冬リーチの詳しい内容は後述する。
【００４２】一方、……外れの場合には図９（ｂ）に示すように、リーチパターン決定用乱数が０〜４９であればリーチＡ、リーチパターン決定用乱数が５０〜７９であればリーチＢ、リーチパターン決定用乱数が８０〜９９であればリーチＣに振り分けるようになっている。したがって、リーチ振り分けパターン１は大当り信頼度がＡ＜Ｂ＜Ｃの順に高くなり、さらにリーチＣの場合には春リーチ＜夏リーチ＜秋リーチ＜冬リーチの順に高くなるようなリーチ態様の演出が行われる。」
　
「【００４７】……大当り時のリーチ種類として、リーチＡ〜リーチＣの３つのパターンがあり、……リーチパターン決定用乱数が０〜９であればステップＳ５８に分岐してリーチＡにする。したがって、リーチＡへの振り分け率は１０％となる（図９参照、以下同様）。
【００４８】リーチパターン決定用乱数が１０〜４９であればステップＳ６０に分岐してリーチＢにする。したがって、リーチＢへの振り分け率は４０％となる。また、リーチパターン決定用乱数が５０〜９９であればステップＳ６２に分岐してリーチＣにする。したがって、リーチＣへの振り分け率は５０％となる。この振り分け処理により、例えばリーチ振り分けパターン１が選択されていれば、大当り発生時のリーチの態様は、高い確率でリーチＣに、やや高い確率でリーチＢに、低い確率でリーチＡにそれぞれ振り分けられる。……」
　
「【００５３】……リーチ予告は、リーチが発生することを予告する情報（例えば、特定のキャラクタが現れると必ずリーチが発生することを示唆する情報）であり、例えばリフレッシュレジスタを使用して大当り発生時には１／３の振り分け処理を行って、リーチ予告＝１／３の割り合いで発生（例えば、このときリーチ予告コマンドが発生）するようにする。……」
　
「【００５８】……外れリーチ時のリーチ種類として、リーチＡ〜リーチＣの３つのパターンがあり、……リーチパターン決定用乱数が０〜４９であればステップＳ９８に分岐してリーチＡにする。したがって、リーチＡへの振り分け率は５０％となる（図９参照、以下同様）。
【００５９】リーチパターン決定用乱数が５０〜７９であればステップＳ１００に分岐してリーチＢにする。したがって、リーチＢへの振り分け率は３０％となる。また、リーチパターン決定用乱数が８０〜９９であればステップＳ１０２に分岐してリーチＣにする。したがって、リーチＣへの振り分け率は２０％となる。この振り分け処理により、例えばリーチ振り分けパターン１が選択されていれば、外れリーチ時におけるリーチの態様は、高い確率でリーチＡに、やや高い確率でリーチＢに、低い確率でリーチＣにそれぞれ振り分けられる。……」
　
「【００６２】……リーチ予告を発生させるか否かを判別する。これは、例えばリフレッシュレジスタを使用して外れリーチ発生のうち１／１０の振り分け処理を行って、リーチ予告＝１／１０の割り合いで発生するようにする。……
【００６３】このように、大当りの乱数を抽出した場合には、……リーチＡ〜リーチＣ（春〜冬リーチを含む）のどの態様でリーチを発生させるかを決定するとともに、１／３の割り合いでリーチ予告を行う……。一方、外れの乱数を抽出した場合には、リーチＡ〜リーチＣ（春〜冬リーチを含む）のどの態様で発生させるかを決定するとともに、１／１０の割り合いでリーチ予告を行う。……」
　
「【００７５】（ｂ）予告リーチ動作
図１５（ｂ）〜（ｄ）は特別図柄表示装置４における予告リーチ動作の表示画像を示す図である。予告リーチ動作では、図１５（ｂ）に示すように左図柄の停止スロースクロール時（中図柄および右図柄は速く変動中で左図柄の停止直前のスクロール時）に、予告リーチコマンドがセットされることによりリーチを予告するキャラクター（ここでは女性キャラクター）が当該左図柄（例えば、「７」）にくっつく画像が表示される。これにより、遊技者はリーチ発生の予告により、リーチへの期待感が高められる。……」
　
　上記記載事項及び図面によると、第２引用例には、
「大当たりの場合には、５０％の振り分け率で背景変化リーチであるリーチＣに振り分けるとともに１／３の割り合いでリーチを予告する女性キャラクターの画像を表示し、外れリーチの場合には、２０％の振り分け率で背景変化リーチであるリーチＣに振り分けるとともに１／１０の割り合いでリーチ予告する女性キャラクターの画像を表示する」
という技術事項が記載されているものと認められる。
　
３．対比
　本願発明と引用発明を対比する。
　引用発明の「特別可変表示装置３０」は本願発明の「図柄表示装置」に、以下同様に、「一定時間が経過すると、特別図柄が確定」は「変動図柄が変動後所定の態様で停止」に、「特定遊技状態」は「遊技者に有利な遊技状態」に、「パチンコ遊技機」は「パチンコ機」に相当する。
　
　また、引用発明は、各リーチ予告１〜３毎に５匹、３匹、１匹のおばけを画面表示することによる３種類のリーチ予告を行うものであるから、引用発明の「各リーチ予告１〜３毎に画面表示される５匹、３匹、１匹のおばけ」が、本願発明の「複数種類のリーチ予告映像データ」に相当し、明示はされていないものの、技術常識からみて、それらが格納されるリーチ予告映像記憶手段を備えるものといえる。
　
　さらに、引用発明は、表示画面の右端にハンマー５３を持ったキャラクタ５２を重畳表示してキャラクタ５２がハンマー５３で中図柄を叩くことにより中図柄を左方向へ順次コマ送りしていき中図柄のリーチ変動を行うキャラクタリーチと、現在表示の中図柄の中心部を回転中心として境界線５４を時計回りの方向に回転させ、その境界線５４の回転領域に次位の中図柄を表示するリーチ変動を行うレーダーリーチと、現在表示の中図柄の中心部を回転中心として中図柄を所定範囲内で往復回転させ、その往復回転中に次位の中図柄に切り換えて中図柄のリーチ変動を行う図柄回転リーチ等からなる各種リーチを行うものであるから、引用発明のキャラクタリーチ、レーダーリーチ、図柄回転リーチで表示される映像データが、本願発明の「複数種類のリーチ映像データ」に相当し、明示はされていないものの、技術常識からみて、それらが格納されるリーチ映像記憶手段を備えるものといえる。
　
　そのうえ、引用発明は、リーチ以外となる図柄変動とリーチとなる図柄変動を行うものであるから、明示はされていないものの、リーチ状態を発生させるか否かを決定するリーチ発生決定手段を備えるものといえる。
　
　そして、引用発明のキャラクタリーチ、レーダーリーチ、図柄回転リーチで表示される映像データのうちの１つが、本願発明の第１リーチ映像データに相当し、各リーチ予告１〜３毎に画面表示される５匹、３匹、１匹のおばけの映像データのうちの２つを第１リーチ予告映像データ及び第２リーチ予告映像データとすると、これらの組み合わせの遊技状態が生じることから、引用発明は、
「変動図柄が所定の態様で停止する大当たりの場合に、リーチ映像記憶手段に記憶された第１リーチ映像データ、及び、リーチ予告映像データ記憶手段に記憶された前記第１リーチ予告映像データからなる第１組み合わせを選択する第１選択手段と、
　変動図柄が所定の態様で停止する大当たりの場合に、リーチ映像記憶手段に記憶された第１リーチ映像データ、及び、リーチ予告映像データ記憶手段に記憶された前記第２リーチ予告映像データからなる第２組み合わせを選択する第２選択手段と、
　変動図柄が所定の態様で停止しない場合で、且つ、リーチ発生決定手段によってリーチ状態を発生させることが決定された場合に、前記第１組み合わせを選択する第３選択手段と、
　変動図柄が所定の態様で停止しない場合で、且つ、リーチ発生決定手段によってリーチ状態を発生させることが決定された場合に、前記第２組み合わせを選択する第４選択手段と」
を備えるものといえる。
　
　したがって、両者は
「遊技領域に設けられた変動図柄を表示する図柄表示装置を備え、前記変動図柄が変動後所定の態様で停止すると大当りとして遊技者に有利な遊技状態が発生するパチンコ機において、
　前記変動図柄のリーチ状態の発生を予告する複数種類のリーチ予告映像データが格納されるリーチ予告映像記憶手段と、
　前記変動図柄がリーチ状態の場合に表示されるリーチアクションの表示画像として複数種類のリーチ映像データが格納されるリーチ映像記憶手段と、
　リーチ状態を発生させるか否かを決定するリーチ発生決定手段と、
　前記変動図柄が所定の態様で停止する大当たりの場合に、前記リーチ映像記憶手段に記憶された第１リーチ映像データ、及び、前記リーチ予告映像データ記憶手段に記憶された前記第１リーチ予告映像データからなる第１組み合わせを選択する第１選択手段と、
　前記変動図柄が所定の態様で停止する大当たりの場合に、前記リーチ映像記憶手段に記憶された第１リーチ映像データ、及び、前記リーチ予告映像データ記憶手段に記憶された前記第２リーチ予告映像データからなる第２組み合わせを選択する第２選択手段と、
　前記変動図柄が所定の態様で停止しない場合で、且つ、前記リーチ発生決定手段によってリーチ状態を発生させることが決定された場合に、前記第１組み合わせを選択する第３選択手段と、
　前記変動図柄が所定の態様で停止しない場合で、且つ、前記リーチ発生決定手段によってリーチ状態を発生させることが決定された場合に、前記第２組み合わせを選択する第４選択手段とを備えたパチンコ機。」
の点で一致し、以下の点で相違する。
　
＜相違点１＞
　本願発明は、「変動図柄が所定の態様で停止する大当たりの場合」と、「変動図柄が所定の態様で停止しない場合で、且つ、前記リーチ発生決定手段によってリーチ状態を発生させることが決定された場合」とで、第１リーチ映像データと第１リーチ予告映像データの第１組み合わせ、または、第１リーチ映像データと第２リーチ予告映像データの第２組み合わせを選択する４通りのパターンにつき選択確率を設定して、その選択確率は、「変動図柄が所定の態様で停止する大当たりの場合」の第１組み合わせの選択確率と第２組み合わせの選択確率を異なるようにし、「変動図柄が所定の態様で停止しない場合で、且つ、前記リーチ発生決定手段によってリーチ状態を発生させることが決定された場合」の第１組み合わせの選択確率と第２組み合わせの選択確率を異なるようにしたものであるのに対し、引用発明は、第１リーチ映像データは「変動図柄が所定の態様で停止する大当たりの場合」（大当り時）と、「変動図柄が所定の態様で停止しない場合で、且つ、前記リーチ発生決定手段によってリーチ状態を発生させることが決定された場合」（ハズレ時）とで選択確率（各条件とランダム数）に基づき選択しているものといえるが、各リーチ予告は確変図柄及び通常図柄毎に振り分け設定されるものであり、「変動図柄が所定の態様で停止する大当たりの場合」と、「変動図柄が所定の態様で停止しない場合で、且つ、前記リーチ発生決定手段によってリーチ状態を発生させることが決定された場合」とで選択確率に基づき選択しているものではないので、第１リーチ映像データと第１又は第２リーチ予告映像データの組み合わせとして選択確率に基づき選択するものではない点。
　
＜相違点２＞
　本願発明は、「変動図柄が所定の態様で停止する大当たりの場合に、第１組み合わせを選択する第１選択確率と第２組み合わせを選択する第２選択確率との間に存在する大小関係は、前記変動図柄が所定の態様で停止しない場合で、且つ、前記リーチ発生決定手段によってリーチ状態を発生させることが決定された場合に、第１組み合わせを選択する第３選択確率と第２組み合わせを選択する第４選択確率との間に存在する大小関係と逆転されている」ものであるのに対し、引用発明は、上記相違点１に示したように、各リーチ予告は確変図柄及び通常図柄毎に振り分け設定されるものであるため、「変動図柄が所定の態様で停止する大当たりの場合」と、「変動図柄が所定の態様で停止しない場合で、且つ、前記リーチ発生決定手段によってリーチ状態を発生させることが決定された場合」とで第１リーチ映像データと第１又は第２リーチ予告映像データの組み合わせを選択確率に基づき選択するものではないので、そのような構成を備えていない点。
　
４．判断
　上記相違点について検討する。
＜相違点１について＞
　本願発明と第２引用例記載の技術事項を対比すると、第２引用例の「背景変化リーチであるリーチＣ」は本願発明の「第１リーチ映像データ」に相当し、以下同様に、「大当たりの場合」は「変動図柄が所定の態様で停止する大当たりの場合」に、「外れリーチの場合」は「変動図柄が所定の態様で停止しない場合で、且つ、前記リーチ発生決定手段によってリーチ状態を発生させることが決定された場合」に相当する。
　また、第２引用例の「リーチ予告する女性キャラクター画像」は本願発明の「リーチ予告映像データ」に相当し、本願発明の複数種類のリーチ予告映像データには、請求項２、段落【００１０】及び段落【００２２】〜【００２３】を参照すると、リーチを予告しない映像データを含むと解されるから、第２引用例の「リーチ予告する女性キャラクター画像」を表示しない画像は「第２リーチ予告映像データ」に相当する。
　
　したがって、第２引用例には
「変動図柄が所定の態様で停止する大当たりの場合に、第１リーチ映像データ、及び、第１リーチ予告映像データからなる第１組み合わせを第１選択確率（５０％×１／３）で選択し、変動図柄が所定の態様で停止する大当たりの場合に、第１リーチ映像データ、及び、第２リーチ予告映像データを第１選択確率とは異なる第２選択確率（５０％×２／３）で選択し、変動図柄が所定の態様で停止しない場合で、且つ、前記リーチ発生決定手段によってリーチ状態を発生させることが決定された場合に、前記第１組み合わせを第３選択確率（２０％×１／１０）で選択し、変動図柄が所定の態様で停止しない場合で、且つ、前記リーチ発生決定手段によってリーチ状態を発生させることが決定された場合に、前記第２組み合わせを第３選択確率とは異なる第４選択確率（２０％×９／１０）で選択する」
という技術事項が開示されているものといえる。
　
　そして、第１リーチ映像データと、第１リーチ予告映像データまたは第２リーチ予告映像データの選択手段を、引用発明のものに代えて、第２引用例記載の技術事項を適用して、相違点１に関わる本願発明の構成に想到することは、リーチ予告及びリーチの選択という共通の技術事項に関するものであるから、当業者ならば容易に想到し得るものである。ここで、第１リーチ映像データの選択確率と第１又は第２リーチ予告映像データの選択確率を別個に設定するか、第１リーチ映像データと第１または第２リーチ予告映像データの組み合わせとして選択確率を設定するかは、当業者が適宜選択できる設計的事項にすぎない。
　
＜相違点２について＞
　変動図柄が所定の態様で停止する大当たりの場合に、第１映像データを選択する第１選択確率と第２映像データを選択する第２選択確率との間に存在する大小関係が、変動図柄が所定の態様で停止しない場合で、且つ、前記リーチ発生決定手段によってリーチ状態を発生させることが決定された場合に、第１映像データを選択する第３選択確率と第２映像データを選択する第４選択確率との間に存在する大小関係と逆転されている構成は、大当たりの信頼度に関連づけて映像データを選択する場合の周知技術であり（例えば、第２引用例の図９における大当たりの場合のリーチＢの発生率（選択確率４０％）とリーチＣの発生率（選択確率５０％）の大小関係と、外れの場合のリーチＢの発生率（選択確率３０％）とリーチＣの発生率（選択確率２０％）の大小関係を参照。または、特開平９−２８８８５号公報の図２５における大当りの場合のショートスベリの発生率（選択確率０％）とロングスベリの発生率（選択確率３％）の大小関係と、ハズレの場合のショートスベリの発生率（選択確率４６％）とロングスベリの発生率（選択確率０％）の大小関係を参照。）、この周知技術を、引用発明に第２引用例記載の技術事項を適用した第１リーチ映像データと第１または第２リーチ予告映像データの組み合わせの選択確率に適用して、相違点２に係る本願発明の構成に想到することは当業者が容易になし得るものである。
　
　そして、本願発明の作用効果も、第１引用例に記載された発明（引用発明）及び第２引用例に記載された発明並びに周知技術から当業者が予測できる範囲のものであって、格別なものがあるとは認められないから、本願発明は、第１引用例及び第２引用例に記載された発明並びに周知技術に基づき当業者が容易に発明をすることができたものである。
　
５．むすび
　以上のとおり、本願発明は、第１引用例及び第２引用例に記載された発明並びに周知技術に基づいて当業者が容易に発明をすることができたものであるから、特許法第２９条第２項の規定により特許を受けることができない。
　したがって、他の請求項に係る発明について検討するまでもなく、本願は拒絶すべきものである。
　よって、結論のとおり審決する。